(57)【要約】【課題】  複数の表示ユニットを連結して映像表示装置を組み立てる場合に、その映像表示装置の表示面に中抜け領域や歯抜け領域を形成したり、表示面を波型状やクランク状とすることである。【解決手段】  連結器具において、器具本体７と、器具本体７に設けられ、複数の表示素子５を有する表示ユニット２に設けられた第１ユニット連結部に連結される第１連結部と、器具本体７の一端に設けられ、表示ユニット２に設けられた第３ユニット連結部に係脱可能に連結される第２連結部１１と、器具本体７の他端に設けられ、表示ユニット２に設けられた第２ユニット連結部１１Ａに係脱可能に連結される第３連結部１２とを備える。【選択図】    図１
2007072313.tif 000002
【特許請求の範囲】
【請求項１】
器具本体と、
前記器具本体に設けられ、複数の表示素子を有する表示ユニットに設けられた第１ユニット連結部に連結される第１連結部と、
前記器具本体の一端に設けられ、前記表示ユニットに設けられた第３ユニット連結部に係脱可能に連結される第２連結部と、
前記器具本体の他端に設けられ、前記表示ユニットに設けられた第２ユニット連結部に係脱可能に連結される第３連結部と、
を備えることを特徴とする連結器具。
【請求項２】
第１器具本体と、
前記第１器具本体にヒンジ機構を介して回動可能に連結される第２器具本体と、
前記第１器具本体に設けられ、複数の表示素子を有する表示ユニットに設けられた第３ユニット連結部に係脱可能に連結される第２連結部と、
前記第２器具本体に設けられ、前記表示ユニットに設けられた第２ユニット連結部に係脱可能に連結される第３連結部と、
を備えることを特徴とする連結器具。
【請求項３】
前記第２連結部は前記第２ユニット連結部と同じ構造に形成され、前記第３連結部は前記第３ユニット連結部と同じ構造に形成されていることを特徴とする請求項１又は２記載の連結器具。
【請求項４】
前記第２連結部は、外周に係合溝が形成された柱状のプラグを具備し、
前記第３連結部は、前記プラグが軸方向に相対移動して嵌合可能な筒状のソケットと、前記ソケットに取着されて嵌合した前記プラグの係合溝に係合可能な抜止部材と、前記ソケットの外側に嵌め込まれて前記抜止部材を前記プラグの前記係合溝へ押し込む押込位置とこの押し込みを解除する解除位置とに摺動可能な摺動筒と、前記摺動筒を前記押込位置に向けて常時付勢する第１のばね部材と、カムの回転により前記摺動筒を前記解除位置に摺動させるカム機構部とを備えることを特徴する請求項１ないし３のいずれか一記載の連結器具。
【請求項５】
前記抜止部材と前記係合溝との係合が保持される位置に向けて前記カムを付勢する第２のばね部材を備えることを特徴とする請求項４記載の連結器具。
【請求項６】
前記抜止部材と前記係合溝との係合が保持される回転角度位置で前記カムを安定させるノッチ機構を備えることを特徴とする請求項４又は５記載の連結器具。
【請求項７】
前記抜止部材は、剛球であることを特徴とする請求項４ないし６のいずれか一記載の連結器具。
【発明の詳細な説明】
【技術分野】
【０００１】
本発明は、連結器具に関し、特に、複数の表示素子を備えた表示ユニットを連結して映像表示装置を組み立てる場合に、表示ユニットと表示ユニットとを連結するために使用する連結器具に関する。
【背景技術】
【０００２】
しばしば目にするように、屋内外の競技場や各種イベント会場、あるいは繁華街等に面した建物の外壁面（ビルボード）等には、ＬＥＤ（発光ダイオード）等の表示素子を複数配置して表示画面（ディスプレイ）を構成した映像表示装置が据え付けられている。
【０００３】
これら映像表示装置は、競技場やビル等の建造物そのものに恒久的に設置されたり、または各地のイベント会場等でその都度組み立てて使用されたり、あるいは可搬式に大型車両の荷台に搭載されて使用されたりする。
【０００４】
この種の映像表示装置は、Ｒ（赤）Ｇ（緑）Ｂ（青）の点灯制御により、いわゆるフルカラー表示を行い、宣伝広告の表示や客に対する案内表示、あるいは観客等の視聴者に対するテレビジョン画像の表示が行うものであり、複数台の表示ユニットを上下左右に連結して構成されている（例えば、特許文献１参照）。
【０００５】
表示ユニットと表示ユニットとを連結する構造に関して、特許文献１には、表示ユニットの上縁部に設けた凸構造の連結部と表示ユニットの下縁部に設けられた凹構造の連結部とを用いて表示ユニットを上下方向に連結し、表示ユニットの側縁部に設けたフック形状の連結機構を用いて表示ユニットを左右方向に連結する構造が開示されている。このため、複数の表示ユニットを上下方向及び左右方向に連結して構成される映像表示装置の表示面は、矩形であって平面状に形成されている。
【特許文献１】特開２００３−３４５２６９号公報
【発明の開示】
【発明が解決しようとする課題】
【０００６】
しかしながら、前述の複数の表示ユニットを連結する構造においては、以下の点について配慮がなされていない。
【０００７】
近年では、複数の表示ユニットを連結して構成される映像表示装置により表示される映像の多様化が進み、表示面の中に映像を表示しない領域（中抜け領域）を形成したり、表示面の端部に櫛刃状に映像を表示しない領域（歯抜け領域）を形成したり、表示面を波型やクランク状に形成することが要望されている。しかし、前述の連結構造ではこのような要望に応えることはできない。
【０００８】
本発明はこのような課題を解決するためになされたもので、その目的は、複数の表示ユニットを連結して映像表示装置を組み立てる場合に、その映像表示装置の表示面に中抜け領域や歯抜け領域を形成したり、表示面を波型状やクランク状とすることができる連結器具を提供することである。
【課題を解決するための手段】
【０００９】
本発明の実施の形態に係る第１の特徴は、連結器具において、器具本体と、前記器具本体に設けられ、複数の表示素子を有する表示ユニットに設けられた第１ユニット連結部に連結される第１連結部と、前記器具本体の一端に設けられ、前記表示ユニットに設けられた第３ユニット連結部に係脱可能に連結される第２連結部と、前記器具本体の他端に設けられ、前記表示ユニットに設けられた第２ユニット連結部に係脱可能に連結される第３連結部と、を備える。
【００１０】
本発明の実施の形態に係る第２の特徴は、連結器具において、第１器具本体と、前記第１器具本体にヒンジ機構を介して回動可能に連結される第２器具本体と、前記第１器具本体に設けられ、複数の表示素子を有する表示ユニットに設けられた第３ユニット連結部に係脱可能に連結される第２連結部と、前記第２器具本体に設けられ、前記表示ユニットに設けられた第２ユニット連結部に係脱可能に連結される第３連結部と、を備える。
【発明の効果】
【００１１】
本発明によれば、複数の表示ユニットを連結して映像表示装置を構成した場合に、映像表示装置の表示面を様々な形態とすることができ、例えば、表示面に中抜け領域や歯抜け領域を形成することができ、表示面を波型状やクランク状に形成することができる。
【発明を実施するための最良の形態】
【００１２】
以下、本発明の実施の形態を図面を用いて説明する。
【００１３】
（第１の実施の形態）
本発明の第１の実施の形態に係る連結器具１は、図１及び図２に示すように、表示ユニット２の側部に着脱可能に連結されている。この連結器具１を用いて複数の表示ユニット２を上下左右に連結することにより、例えば、図４に示すような映像表示装置３、図５に示すような映像表示装置３Ａを組み立てることができる。
【００１４】
表示ユニット２は、図１及び図２に示すように、４脚を有する櫓（やぐら）状の筐体４の前面に、多数のＬＥＤ等の表示素子５を配置した表示パネル６を複数個（この実施例では１２個）組み込んで構成されている。
【００１５】
連結器具１は、図１ないし図３に示すように、外観が円柱形状をなす器具本体７を有し、器具本体７の長手方向の略中央部に第１連結部８が形成されている。第１連結部８は、連結器具１を表示ユニット２に連結するための部分であり、器具本体７の外周面の一部を平坦にカットした平坦面部８ａとこの平坦面部８ａに設けられた複数の取付ボルト８ｂとにより構成されている。表示ユニット２への連結器具１の連結は、上下一対の取付ボルト８ｂを用いて長方形状の連結板９の一端側を連結し、この連結板９の他端側を表示ユニット２の筐体４の側縁部に形成された第１ユニット連結部１０に連結することにより行われる。第１ユニット連結部１０は、筐体４に形成された平坦面部１０ａとこの平坦面部１０ａに設けられた複数の取付ボトル１０ｂとにより構成されている。
【００１６】
器具本体７の長手方向の一端には第２連結部１１が設けられ、器具本体７の長手方向の他端には第３連結部１２が設けられている。
【００１７】
表示ユニット２の筐体４の上縁部には一対の第２ユニット連結部１１Ａが設けられ、この第２ユニット連結部１１Ａは連結器具１に設けられている第３連結部１２に対して係脱可能な構造とされている。また、表示ユニット２の筐体４の下縁部には一対の第３ユニット連結部１２Ａが設けられ、この第３ユニット連結部１２Ａは連結器具１に設けられている第２連結部１１に対して係脱可能な構造とされている。これにより、連結器具１の第２連結部１１と表示ユニット２の第３ユニット連結部１２Ａとを連結することにより、又は、連結器具１の第３連結部１２と表示ユニット２の第２ユニット連結部１１Ａとを連結することにより、複数の表示ユニット２を連結器具１を用いて連結することができる。
【００１８】
また、連結器具１の第２連結部１１と表示ユニット２の第２ユニット連結部１１Ａとが同じ構造に形成され、連結器具１の第３連結部１２と表示ユニット２の第３ユニット連結部１２Ａとが同じ構造に形成されている。このため、第２ユニット連結部１１Ａと第３ユニット連結部１２Ａとを連結することにより、表示ユニット２と表示ユニット２とを連結することができ、また、第２連結部１１と第３連結部１２とを連結することにより、連結器具１と連結器具１とを連結することができる。
【００１９】
図４に示す映像表示装置３には、連結器具１と連結器具１とを連結した箇所、連結器具１と表示ユニット２とを連結した箇所、表示ユニット２と表示ユニット２とを連結した箇所が存在する。このようにして、連結器具１を用いて複数の表示ユニット２を連結することにより、映像表示装置３の表示面中に、中抜け領域“Ｘ”や歯抜け領域“Ｙ”を形成することができる。
【００２０】
図５に示す映像表示装置３Ａには、隣合った表示ユニット２を連結器具１を用いて連結することにより、左右方向においてクランク状の表示面や波型状の表示面が形成されている。クランク状の表示面は、連結板９を用いて表示ユニット２に連結した連結器具１と、連結板９を用いて他の表示ユニット２に連結した連結器具１とを隣合せに平行に配置し、隣合って位置する２つの連結器具１をくの字形に屈曲させた角度付連結板１３を用いて連結することにより形成されている。波型状の表示面は、連結板９を用いて表示ユニット２に連結器具１を連結し、この連結器具１に屈曲角度の小さい角度付連結板１３ａ、１３ｂを用いて他の表示ユニット２を連結することにより形成されている。
【００２１】
連結器具１の第２連結部１１と表示ユニット２の第２ユニット連結部１１Ａとは同じ構造に形成されており、それぞれ柱状のプラグ１４を有し、プラグ１４の外周にはリング状の係合溝１５が形成されている。プラグ１４は、図８に示すように、ナット１６を用いて器具本体７又は筐体４の上縁部に固定されている。
【００２２】
図６は、連結器具１の第２連結部１１と表示ユニット２の第３ユニット連結部１２Ａとを上下方向に対向させた状態を示す斜視図である。図７は、連結器具１の第２連結部１１と表示ユニット２の第３ユニット連結部１２Ａとを連結した状態を示す平面図である。
【００２３】
連結器具１の第３連結部１２と表示ユニット２の第３ユニット連結部１２Ａとは同じ構造に形成されており、図６以下に示す図面では、第３ユニット連結部１２Ａを例に挙げて説明する。第３ユニット連結部１２Ａは、図８ないし図１１に示すように、ソケット１７と、抜止部材である複数の剛球１８と、鍔部１９ａを有する摺動筒１９と、第１のばね部材２０と、第２のばね部材２１と、カム機構部２２とを備え、これらの機構が箱体状の筐体２３内に取付けられている。ソケット１７はナット２４により筐体２３に取り付け固定されるとともに、筐体２３が表示ユニット２の筐体４の下側縁部に溶接等により固着されている。なお、第３連結部１２では、器具本体７内に筐体２３が溶接等により固着されている。
【００２４】
図８は図７に示すＡ−Ａ線断面図、図９は図７に示すＢ−Ｂ線断面図、図１０は図７に示すＣ−Ｃ線断面図である。
【００２５】
図８ないし図１１に示すように、ソケット１７は、プラグ１４に対し、プラグ１４の軸方向（矢印Ｚ方向）に向けて相対移動可能であり、プラグ１４と連結可能な一端開口の筒状に形成されている。ソケット１７の底部には、ソケット１７とプラグ１４との連結操作を円滑に行わせるための部材として、摺動可能に遊挿された押さえ筒体２５と、押さえ筒体２５をソケット１７の開口側に向けて付勢するコイルばね２６とが設けられている。
【００２６】
図９ないし図１１に示すように、抜止部材として設けられた複数の剛球１８は、ソケット１７に周方向に沿って形成された複数の取着穴１７ａに1つずつ取着されている。これらの剛球１８は、ソケット１７に挿入して連結されたプラグ１４の係合溝１５に係合することにより、プラグ１４がソケット１７から抜け出すことを阻止できるように構成されている。
【００２７】
摺動筒１９は、ソケット１７の外側を囲んで配置された筒状部材であり、プラグ１４の軸方向に摺動可能に設けられている。摺動筒１９は、図９ないし図１１に示すように剛球１８を係合溝１５へ押し込む押込位置と、後述する図１５に示すように、摺動筒１９の内周部に形成された内周側凹部１９ｂを剛球１８に対向させることにより係合溝１５への剛球１８の押し込みを解除する解除位置とに摺動可能である。
【００２８】
第１のばね部材２０は、ソケット１７を巻回しつつソケット１７と摺動筒１９との間に介挿されるコイルばねであり、剛球１８を係合溝１５に押し込む押込位置に摺動筒１９を常時付勢している。すなわち、第１のばね部材２０は、ソケット１７に一体形成された係止部１７ｂと摺動筒１９との間に介装され、摺動筒１９が押込位置に位置するように図面上での下向きに摺動筒１９を付勢している。
【００２９】
カム機構部２２は、カム２７と、このカム２７にビス２８により連結されて一体に回転するように固定されたカム支持板２９と、筐体２３に固着されたガイド板３０とを有する。カム支持板２９がガイド板３０に回動可能に嵌合され、カム２７とカム支持板２９とがガイド板３０に案内されて回転軸Ｌ回りに一体に回動する。この回動に伴ってカム２７が摺動筒１９の鍔部１９ａに当接した場合に、カム２７から鍔部１９ａに対して図面上での上向きの力が作用する。この力の作用により、摺動筒１９は図１０及び図１１に示す押込位置から、第１のばね部材２０の付勢力に抗して図１５に示す解除位置へ摺動する。摺動筒１９が解除位置に摺動することにより、摺動筒１９の内周側凹部１９ｂがソケット１７に保持された剛球１８に対向し、摺動筒１９による係合溝１５への剛球１８の押込みが解除され、ソケット１７へのプラグ１４の抜き差しが可能となる。
【００３０】
第２のばね部材２１は、図１０及び図１１に示すように、ガイド板３０とカム２７との間に設けられ、カム２７とカム支持板２９とを回転軸Ｌを中心に反時計回り方向に回動する向きに付勢している。さらに、ガイド板３０とカム２７との間には、ノッチ機構３１が設けられている。
【００３１】
図１２ないし図１４はノッチ機構３１を示す図面であり、図１２は図１１に示すＤ−Ｄ線断面図、図１３はノッチ機構３１を拡大して示す断面図、図１４はノッチ機構３１を示す分解斜視図である。
【００３２】
図１３及び図１４に示すように、ノッチ機構３１は、底部がカム２７の回転面側に嵌め込み固定される有底筒体３２と、この有底筒体３２内に挿入されるコイルばね部材３３とこのコイルばね部材３３に付勢されて開口部から押し出されるように配置されるボール３４とを有している。
【００３３】
また、ノッチ機構３１はカム２７の回転に伴い回転軸Ｌ回りに回動するが、ノッチ機構３１のボール３４がガイド板３０の面を位置ずれすることなく弧を描いて円滑かつ適正に回動し得るように、図１２及び図１３に示すように、ガイド板３０には半円弧形状にガイド溝３５が形成されている。ガイド溝３５の下方側端部には、ボール３４の一部が嵌り込む凹部３６が形成されている。なお、ボール３４が凹部３６に嵌り込んでいる位置からボール３４がガイド溝３５内に沿って移動する方向は、カム２７とカム支持板２９とを回転軸Ｌの回りに時計回り方向（図１１に示す矢印Ｒ方向）に回動させる方向である。
【００３４】
したがって、ノッチ機構３１と、カム２７とカム支持板２９とを回転軸Ｌの回りに反時計回り方向に回動する向きに付勢している第２のばね部材２１とにより、カム２７とカム支持板２９とは図１０及び図１１に示す位置で安定した保持状態に維持され、摺動筒１９は押込位置で安定する。
【００３５】
すなわち、第２のばね部材２１は、剛球１８と係合溝１５との係合が保持される位置に向けてカム２７を付勢している。また、ノッチ機構３１は、剛球１８と係合溝１５との係合が保持される回転角度位置でカム２７を安定させている。
【００３６】
カム２７とカム支持板２９との回動操作は、先端に突起部３７ａが形成された治具３７を用いて行われる。筐体２３には治具３７が挿入される鍵穴３８が形成され、この鍵穴３８に連通する鍵穴３９がカム支持板２９に形成されている。
【００３７】
鍵穴３８、３９に挿入した治具３７を操作することによりカム２７とカム支持板２９とを回動させ、カム２７を摺動筒１９の鍔部１９ａに当接させて摺動筒１９を摺動させる場合、摺動筒１９がソケット１７に対して偏芯すると、摺動筒１９のスムーズな摺動が困難になる。そこで、摺動する摺動筒１９が偏芯することを防止するため、摺動筒１９におけるカム機構部２２が設けられた側の裏側に、摺動筒１９と筐体２３との間に位置するコイルばね機構部４０が設けられている。
【００３８】
このような構成において、連結器具１の第２連結部１１と表示ユニット２の第３ユニット連結部１２Ａとの係脱操作について説明する。なお、連結器具１の第２連結部１１と他の連結器具１の第３連結部１２との係脱操作、表示ユニット２の第２ユニット連結部１１Ａと連結器具１の第３連結部１２との係脱操作、表示ユニット２の第２ユニット連結部１１Ａと他の表示ユニット２の第３ユニット連結部１２Ａとの係脱操作も、同様に行われる。
【００３９】
図１１に示す状態は、連結器具１の第２連結部１１と表示ユニット２の第３ユニット連結部１２Ａとが連結されている状態である。この状態では、第２のばね部材２１とノッチ機構３１との働きによりカム２７が位置固定され、摺動筒１９は第１のばね部材２０により付勢されて押込位置に位置している。これにより、摺動筒１９により押し込まれた剛球１８がプラグ１４の係合溝１５に係合し、プラグ１４がソケット１７から抜け出すことが阻止され、連結器具１の第２連結部１１と表示ユニット２の第３ユニット連結部１２Ａとの連結が安定して維持される。
【００４０】
連結器具１の第２連結部１１と表示ユニット２の第３ユニット連結部１２Ａとの連結を解除する場合は、治具３７を鍵穴３８、３９に挿入し、挿入した治具３７を操作することによりカム２７を第２のばね部材２１の付勢力に抗して時計回り方向（矢印Ｒ方向）に回動させる。
【００４１】
治具３７を操作してカム２７を時計回り方向に１８０°回動させることにより、カム２７は摺動筒１９の鍔部１９ａに当接し、図１５及び図１６に示すように摺動筒１９を図面上の上方位置に摺動させる。上方位置へ摺動した摺動筒１９は、図１５に示すように、内周側凹部１９ｂを剛球１８に対向させる解除位置に位置する。これにより、摺動筒１９による係合溝１５への剛球１８の押し込みが解除される。
【００４２】
係合溝１５への剛球１８の押し込みが解除されることにより、ソケット１７からプラグ１４を抜き取ることが可能となり、ソケット１７からプラグ１４を抜き取ることによって連結器具１の第２連結部１１と表示ユニット２の第３ユニット連結部１２Ａとの連結を解除することができる。図１５及び図１６は、ソケット１７からプラグ１４を抜き取った状態を示している。
【００４３】
鍵穴３８、３９に挿入した治具３７を１８０°回した状態では、治具３７の突起部３７ａが鍵穴３８に係止して治具３７を抜き取ることができない。
【００４４】
治具３７を抜き取る場合には、図１５に示す位置から図１７に示す位置へ、治具３７を反時計回り方向に１８０°回す。これにより、治具３７を鍵穴３８から抜き取ることができる。また、治具３７を鍵穴３８から抜き取ることができる位置（図１７に示す位置）へ回すことにより、カム２７も１８０°回動し、カム２７がもとの位置（図１１に示す位置）に戻る。
【００４５】
カム２７がもとの位置に戻ることにより、カム２７は第２のばね部材２１とノッチ機構３１との働きにより、戻った位置で安定する。また、カム２７がもとの位置に戻ることにより、カム２７から鍔部１９ａに作用していた摺動筒１９を解除位置へ摺動させていた力が消滅する。これにより、摺動筒１９は第１のばね部材２０の付勢力により押込位置へ摺動する。
【００４６】
図１７に示すように摺動筒１９が押込位置に位置している第３ユニット連結部１２Ａに第２連結部１１を連結する場合には、治具３７を用いてカム２７を回動し、図１５及び図１６に示すように摺動筒１９を解除位置に摺動させた後、プラグ１４をソケット１７に挿入する。プラグ１４をソケット１７に挿入した後、治具３７を鍵穴３８から抜取り可能な位置に回すことにより、摺動筒１９が第１のばね部材２０の付勢力により押込位置に摺動して剛球１８が係合溝１５に係合され、第３ユニット連結部１２Ａと第２連結部１１との連結が終了する。
【００４７】
以上の説明のように、第２連結部１１と第３ユニット連結部１２Ａとの連結操作、及び、必要に応じた切り離し操作を、簡単な構成で適切かつ容易に行うことができる。第３連結部１２と第２ユニット連結部１１Ａとの連結操作及び切り離し操作、第２連結部１１と第３連結部１２との連結操作及び切り離し操作、第２ユニット連結部１１Ａと第３ユニット連結部１２Ａとの連結操作及び切り離し操作も同じである。
【００４８】
したがって、この連結器具１を用いて複数の表示ユニット２を連結することにより、図４に示すような中抜け領域“Ｘ”や歯抜け領域“Ｙ”のある映像表示装置３や、図５に示すようにクランク状の表示面や波型状の表示面を有する映像表示装置３Ａを組み立てることができる。
【００４９】
なお、上記説明の実施例において、プラグ１４は円柱状であるものとして説明したが、ソケット１７への嵌め込み可能な機能を有すれば良いので、たとえば四角柱等の角柱状とし、ソケット１７や摺動筒１９をそのプラグ１４の形状に合わせて構成するようにしても良い。
【００５０】
また、上記実施例では、振動等によるカム機構部２２の回転ずれを防ぎ回動動作の安定化及び適正化のため、また治具３７によるカム機構部２２に対する適正操作を担保するために、第２のばね部材２１及びノッチ機構３１をそれぞれ付加するように構成したが、要するにカム機構部２２が１８０°の回動角度位置でそれぞれ安定すれば良いので、たとえば第２のばね部材２１に代えて、凹部３６を上下に１８０°異にして設けるようにしても良い。
【００５１】
（第２の実施の形態）
本発明の第２の実施の形態を図１８ないし図２１に基づいて説明する。なお、第１の実施の形態において説明した構成要素と同じ構成要素には同じ符号を付け、重複する説明は省略する。
【００５２】
第２の実施の形態の連結器具５０は、第１器具本体５１と、第２器具本体５２と、これらの第１器具本体５１と第２器具本体５２とを回動可能に連結する一対のヒンジ機構５３とを有している。
【００５３】
第１器具本体５１には、一対の第２連結部１１が設けられている。第２連結部１１は、第１の実施の形態で説明したように、表示ユニット２の筐体４の下縁部に設けられた第３ユニット連結部１２Ａに対して係脱可能な構造とされている。そして、一対の第２連結部１１の間隔と、一対の第３ユニット連結部１２Ａの間隔とが同じに設定されている。このため、第２連結部１１と第３ユニット連結部１２Ａとを連結することにより、表示ユニット２の筐体４の下縁側に連結器具５０を連結することができる。
【００５４】
第２器具本体５２には、一対の第３連結部１２が設けられている。第３連結部１２は、第１の実施の形態で説明したように、表示ユニット２の筐体４の上縁部に設けられた第２ユニット連結部１１Ａに対して係脱可能な構造とされている。そして、一対の第３連結部１２の間隔と、一対の第２ユニット連結部１１Ａの間隔とが同じに設定されている。このため、第３連結部１２と第２ユニット連結部１１Ａとを連結することにより、表示ユニット２の筐体４の上縁側に連結器具５０を連結することができる。
【００５５】
ヒンジ機構５３は、第１器具本体５１に設けられた一対のオス側フランジ５４と、第２器具本体５２に設けられて一対のオス側フランジ５４の間に挿入されるメス側フランジ５５と、オス側フランジ５４とメス側フランジ５５とを回動可能に連結するピン５６とを有している。オス側フランジ５４にはピン５６が挿通される穴５７が形成され、メス側フランジ５５にもピン５６が挿通される穴５８が形成されている。一対のオス側フランジ５４の間にメス側フランジ５５を挿入し、一直線上に位置させた穴５７と穴５８とにピン５６を挿入することにより、第１器具本体５１と第２器具本体５２とが回動可能に連結されている。
【００５６】
一方のオス側フランジ５４における内側面には穴５７の周囲に位置して複数の凹部５９が形成されている。これらの凹部５９には円柱形状のゴムシール６０が嵌め込まれ、嵌め込まれたゴムシール６０の一端は凹部５９の端面から突出している。凹部５９の端面から突出したゴムシール６０の一端は、一対のオス側フランジ５４の間にメス側フランジ５５を挿入した場合に、メス側フランジ５５の側面に当接され、この当接部分の接触摩擦によりヒンジ機構５３による回動角度を任意角度に設定することができる。
【００５７】
図２１は、第２の実施の形態の連結器具５０と、第１の実施の形態の連結器具１とを用いて複数の表示ユニット２を連結して組み立てた映像表示装置６１である。
【００５８】
連結器具５０を用いて２つの表示ユニット２を連結することにより、上下方向に位置する２つの表示ユニット２を角度を付けて連結することができる。これにより、映像表示装置６１の表示面を、上下方向において波型状やクランク状とすることができる。したがって、この連結器具５０を用いることにより、トンネルの内周面を表示面とする構造の映像表示装置などを組み立てることが可能となる。
【００５９】
また、第１の実施の形態で説明した連結器具１を併せて使用することにより、表示面を上下方向において波型状やクランク状とすることに加え、表示面中に中抜け領域“Ｘ”や歯抜け領域“Ｙ”を形成することができる。
【図面の簡単な説明】
【００６０】
【図１】本発明の第１の実施の形態に係る連結器具とこの連結器具が連結された表示ユニットとを示す斜視図である。
【図２】図１に示す連結器具と表示ユニットとを背後から見た斜視図である。
【図３】図１に示す連結器具を示す斜視図である。
【図４】図１に示す連結器具を用いて複数の表示ユニットを連結することにより組み立てられた映像表示装置の一部を示す正面図である。
【図５】図１に示す連結器具を用いて複数の表示ユニットを連結することにより組み立てられた他の映像表示装置の一部を示す平面図である。
【図６】連結器具の第２連結部と表示ユニットの第３ユニット連結部とを示す斜視図である。
【図７】連結器具の第２連結部と表示ユニットの第３ユニット連結部とを連結した状態を示す平面図である。
【図８】図７におけるＡ−Ａ線断面図である。
【図９】図７におけるＢ−Ｂ線断面図である。
【図１０】図７におけるＣ−Ｃ線断面図である。
【図１１】連結器具の第２連結部と表示ユニットの第３ユニット連結部との連結部分の構造を示す縦断正面図である。
【図１２】図１１におけるＤ−Ｄ線断面図である。
【図１３】ノッチ機構を示す縦断正面図である。
【図１４】ノッチ機構を示す分解斜視図である。
【図１５】連結器具の第２連結部と表示ユニットの第３ユニット連結部との連結が解除された状態を示す縦断正面図である。
【図１６】図１５におけるＥ−Ｅ線断面図である。
【図１７】表示ユニットの第３ユニット連結部を示す縦断正面図である。
【図１８】本発明の第２の実施の形態に係る連結器具とこの連結器具が連結された表示ユニットとを示す斜視図である。
【図１９】図１８に示す連結器具を示す斜視図である。
【図２０】図１９に示す連結器具のヒンジ機構の部分を示す正面図である。
【図２１】図１８に示す連結器具と図１に示す連結器具とを用いて複数の表示ユニットを連結することにより組み立てられた映像表示装置の一部を示す斜視図である。
【符号の説明】
【００６１】
１    連結器具
２    表示ユニット
５    表示素子
７    器具本体
８    第１連結部
１０    第１ユニット連結部
１１    第２連結部
１１Ａ  第２ユニット連結部
１２    第３連結部
１２Ａ  第３ユニット連結部
１４    プラグ
１５    係合溝
１７    ソケット
１８    抜止部材、剛球
１９    摺動筒
２０    第１のばね部材
２１    第２のばね部材
２２    カム機構
２７    カム
３１    ノッチ機構
５０    連結器具
５１    第１器具本体
５２    第２器具本体
５３    ヒンジ機構
【図１】
2007072313.tif 000003
【図２】
2007072313.tif 000004
【図３】
2007072313.tif 000005
【図４】
2007072313.tif 000006
【図５】
2007072313.tif 000007
【図６】
2007072313.tif 000008
【図７】
2007072313.tif 000009
【図８】
2007072313.tif 000010
【図９】
2007072313.tif 000011
【図１０】
2007072313.tif 000012
【図１１】
2007072313.tif 000013
【図１２】
2007072313.tif 000014
【図１３】
2007072313.tif 000015
【図１４】
2007072313.tif 000016
【図１５】
2007072313.tif 000017
【図１６】
2007072313.tif 000018
【図１７】
2007072313.tif 000019
【図１８】
2007072313.tif 000020
【図１９】
2007072313.tif 000021
【図２０】
2007072313.tif 000022
【図２１】
2007072313.tif 000023